(57)【特許請求の範囲】
【請求項１】
流体チャンバを画定する圧力チューブと、
前記圧力チューブ内に配置されたピストンアセンブリであって、前記流体チャンバを上側作動チャンバと下側作動チャンバとに分割するピストンアセンブリと、
前記圧力チューブから外に突出したピストンロッドであって、前記ピストンアセンブリが取り付けられたピストンロッドと、
前記ピストンロッドに取り付けられた周波数依存性弁アセンブリと、
を含むショックアブソーバであって、前記周波数依存性弁アセンブリは、
前記ピストンロッドに取り付けられ、流体空洞を画定するハウジングと、
前記流体空洞内に配置された第１のスプール弁アセンブリであって、第１のスプール弁および圧縮バイパス弁アセンブリを含む第１のスプール弁アセンブリと、
を含み、
前記流体空洞内での前記第１のスプール弁の移動により、前記圧縮バイパス弁アセンブリを開くのに必要とされる流体圧力の大きさが制御され、
前記第１のスプール弁は、前記圧縮バイパス弁アセンブリと直接流体連通する流体路を画定する、ショックアブソーバ。
【請求項２】
前記周波数依存性弁アセンブリは、前記下側作動チャンバから前記上側作動チャンバへの流体流れを制御する、請求項１に記載のショックアブソーバ。
【請求項３】
流体チャンバを画定する圧力チューブと、
前記圧力チューブ内に配置されたピストンアセンブリであって、前記流体チャンバを上側作動チャンバと下側作動チャンバとに分割するピストンアセンブリと、
前記圧力チューブから外に突出したピストンロッドであって、前記ピストンアセンブリが取り付けられたピストンロッドと、
前記ピストンロッドに取り付けられた周波数依存性弁アセンブリと、
を含むショックアブソーバであって、前記周波数依存性弁アセンブリは、
前記ピストンロッドに取り付けられ、流体空洞を画定するハウジングと、
前記流体空洞内に配置された第１のスプール弁アセンブリであって、第１のスプール弁および圧縮バイパス弁アセンブリを含む第１のスプール弁アセンブリと、
を含み、
前記流体空洞内での前記第１のスプール弁の移動により、前記圧縮バイパス弁アセンブリを開くのに必要とされる流体圧力の大きさが制御され、
前記流体空洞に配置された第２のスプール弁アセンブリであって、第２のスプール弁およびリバウンドバイパス弁アセンブリを含む第２のスプール弁アセンブリをさらに含み、
前記流体空洞内での前記第２のスプール弁の移動により、前記リバウンドバイパス弁アセンブリを開くのに必要とされる流体圧力の大きさが制御される、ショックアブソーバ。
【請求項４】
前記周波数依存性弁アセンブリは、前記下側作動チャンバから前記上側作動チャンバへの流体流れを制御する、請求項３に記載のショックアブソーバ。
【請求項５】
前記周波数依存性弁アセンブリは、前記下側作動チャンバから前記上側作動チャンバへの流体流れを制御する、請求項４に記載のショックアブソーバ。
【請求項６】
前記ピストンロッドは、前記上側作動チャンバと前記流体空洞との間に延びる流体路を画定する、請求項１に記載のショックアブソーバ。
【請求項７】
流体チャンバを画定する圧力チューブと、
前記圧力チューブ内に配置されたピストンアセンブリであって、前記流体チャンバを上側作動チャンバと下側作動チャンバとに分割するピストンアセンブリと、
前記圧力チューブから外に突出したピストンロッドであって、前記ピストンアセンブリが取り付けられたピストンロッドと、
前記ピストンロッドに取り付けられた周波数依存性弁アセンブリと、
を含むショックアブソーバであって、前記周波数依存性弁アセンブリは、
前記ピストンロッドに取り付けられ、流体空洞を画定するハウジングと、
前記流体空洞に配置されたスプール弁アセンブリであって、スプール弁、圧縮バイパス弁アセンブリ、およびリバウンドバイパス弁アセンブリを含むスプール弁アセンブリと、を含み、
前記流体空洞内での前記スプール弁の移動により、前記リバウンドバイパス弁アセンブリおよび前記圧縮バイパス弁アセンブリの両方を開くのに必要とされる流体圧力の大きさが制御される、ショックアブソーバ。
【請求項８】
前記周波数依存性弁アセンブリは、前記上側作動チャンバから前記下側作動チャンバへの流体流れを制御する、請求項７に記載のショックアブソーバ。
【請求項９】
前記周波数依存性弁アセンブリは、前記下側作動チャンバから前記上側作動チャンバへの流体流れを制御する、請求項８に記載のショックアブソーバ。
【請求項１０】
前記ピストンロッドは、前記上側作動チャンバと前記流体空洞との間に延びる流体路を画定する、請求項７に記載のショックアブソーバ。
【請求項１１】
前記スプール弁は、前記圧縮バイパス弁アセンブリと直接流体連通する流体路を画定する、請求項７に記載のショックアブソーバ。
【請求項１２】
前記スプール弁によって画定される前記流体路は、前記リバウンドバイパス弁アセンブリと直接流体連通する、請求項１１に記載のショックアブソーバ。
【請求項１３】
前記スプール弁は、前記リバウンドバイパス弁アセンブリと直接流体連通する流体路を画定する、請求項７に記載のショックアブソーバ。
【請求項１４】
前記圧縮バイパス弁アセンブリは、第１の接続部および第１の弁ディスクを含み、前記周波数依存性弁アセンブリは、前記第１の弁ディスクを付勢して前記第１の接続部と係合させる第１のばねをさらに含み、第１の付勢チャンバが、前記第１の接続部および前記第１の弁ディスクによって画定される、請求項７に記載のショックアブソーバ。
【請求項１５】
前記スプール弁は、前記第１の付勢チャンバと直接流体連通する流体路を画定する、請求項１４に記載のショックアブソーバ。
【請求項１６】
前記リバウンドバイパス弁アセンブリは、第２の接続部および第２の弁ディスクを含み、前記周波数依存性弁アセンブリは、前記第２の弁ディスクを付勢して前記第２の接続部と係合させる第２のばねをさらに含み、第２の付勢チャンバが、前記第２の接続部および前記第２の弁ディスクによって画定される、請求項１４に記載のショックアブソーバ。
【請求項１７】
前記スプール弁は、前記第１および第２の付勢チャンバと直接流体連通する流体路を画定する、請求項１６に記載のショックアブソーバ。
【請求項１８】
前記リバウンドバイパス弁アセンブリは、接続部および弁ディスクを含み、前記周波数依存性弁アセンブリは、前記弁ディスクを付勢して前記接続部と係合させるばねをさらに含み、付勢チャンバが、前記接続部および前記弁ディスクによって画定される、請求項７に記載のショックアブソーバ。
【請求項１９】
前記スプール弁は、前記付勢チャンバと直接流体連通する流体路を画定する、請求項１８に記載のショックアブソーバ。
【発明の詳細な説明】
【技術分野】
【０００１】
本開示は、自動車両で使用されるシステムなどのサスペンションシステムでの使用に適した油圧ダンパまたはショックアブソーバに関する。より詳細には、本開示は、リバウンドストロークおよび圧縮ストロークの両方において、高周波数の道路入力に対して、より穏やかな制振特性をもたらす周波数依存性の受動弁システムを有する油圧ダンパに関する。
【背景技術】
【０００２】
一般的な先行技術の油圧ダンパまたはショックアブソーバは、ピストンがスライド可能に内部に配置された作動チャンバを画定するシリンダを含み、ピストンは、シリンダの内部を上側作動チャンバと下側作動チャンバとに分割する。ピストンロッドは、ピストンに連結され、シリンダの一端から外に延びる。第１の弁システムは、油圧ダンパの伸長またはリバウンドストローク時に、制振力を発生させるために内蔵され、第２の弁システムは、油圧ダンパの圧縮ストローク時に、制振力を発生させるために内蔵される。
【発明の概要】
【発明が解決しようとする課題】
【０００３】
車両が移動する道路からの入力の周波数に対応して、望ましい制振力を発生されるために、様々なタイプの制振力発生装置が開発された。これらの周波数依存性の選択的制振装置は、高周波数の道路入力に対して、より穏やかな制振特性を有することができるようにする。これらのより穏やかな制振特性により、車体は、望ましくない外乱からより効率的に切り離される。通常、これらの周波数依存性の制振装置は、油圧ダンパまたはショックアブソーバの伸長またはリバウンド動作時にのみ作用する。したがって、油圧ダンパまたはショックアブソーバのリバウンド動作および圧縮動作の両方において、より高い周波数の道路入力に対応したより穏やかな制振特性を有することができるようにする周波数依存性の選択的制振装置が必要である。
【０００４】
油圧ダンパの絶えず続く開発には、油圧ダンパまたはショックアブソーバの伸長またはリバウンド動作と圧縮動作との両方で機能する周波数依存性の制振装置の開発が含まれる。
【課題を解決するための手段】
【０００５】
本開示は、油圧ダンパまたはショックアブソーバのリバウンドストロークおよび圧縮ストロークの両方において、穏やかに制振する周波数依存性の油圧ダンパまたはショックアブソーバを用いた技術を提示する。穏やかな制振は、油圧ダンパまたはショックアブソーバの伸長および／またはリバウンドストロークと圧縮ストロークとの両方における高周波道路入力に対して用いられる。
【０００６】
本開示のさらなる適用分野が、下記に提示される詳細な説明から明らかになるであろう。当然のことながら、詳細な説明および特定の例は、本開示の好ましい実施形態を示すと同時に、単なる例示を目的とすることを意図され、本開示の範囲を限定することを意図されていない。
【０００７】
詳細な説明および添付図面から本開示がより完全に理解されるであろう。
【図面の簡単な説明】
【０００８】
【図１】本開示による周波数依存性制振装置を内蔵したショックアブソーバを使用する自動車の図である。
【図２】本開示による周波数依存性制振装置を内蔵したモノチューブショックアブソーバの側断面図である。
【図３】ショックアブソーバの圧縮ストローク時の、図１に示すショックアブソーバのピストンアセンブリを示す拡大側断面図である。
【図４】ショックアブソーバの伸長ストローク時の、図１に示すショックアブソーバのピストンアセンブリを示す拡大側断面図である。
【図５】低周波圧縮ストローク時の、本開示による周波数依存性弁アセンブリを示す拡大側断面図である。
【図６】高周波圧縮ストローク時の、図５に示す周波数依存性弁アセンブリを示す拡大側断面図である。
【図７】低周波リバウンドストローク時の、図５に示す周波数依存性弁アセンブリを示す拡大側断面図である。
【図８】高周波リバウンドストローク時の、図５に示す周波数依存性弁アセンブリを示す拡大側断面図である。
【発明を実施するための形態】
【０００９】
好ましい実施形態の以下の説明は、本来単なる例示であり、本開示、その用途、または使用法を限定することを全く意図されていない。
【００１０】
ここで、いくつかの図を通して、同じ参照数字が同じ、または対応する要素を示す図面を参照すると、本開示による周波数依存性のショックアブソーバを有するサスペンションシステムを内蔵し、全体として参照数字１０で指定された車両が図１に示されている。車両１０は、リアサスペンション１２、フロントサスペンション１４、および車体１６を含む。リアサスペンション１２は、車両のリアホイール１８を動作可能に支持するように構成された、横に延びるリアアクスルアセンブリ（図示せず）を有する。リアアクスルアセンブリは、１対のショックアブソーバ２０および１対の螺旋コイルばね２２を用いて、車体１６に動作可能に連結されている。同様に、フロントサスペンション１４は、車両のフロントホイール２４を動作可能に支持する、横に延びるフロントアクスルアセンブリ（図示せず）を含む。フロントアクスルアセンブリは、第２の対のショックアブソーバ２６および１対の螺旋コイルばね２８を用いて、車体１６に動作可能に連結されている。ショックアブソーバ２０、２６は、車両１０のばね下部分（すなわち、フロントサスペンション１２およびリアサスペンション１４）と、ばね上部分（すなわち、車体１６）との相対運動を弱める働きをする。車両１０は、フロントおよびリアアクスルアセンブリを有する乗用車として図示されているが、ショックアブソーバ２０、２６は、独立型フロントおよび／または独立型リアサスペンションシステムを内蔵した車両などの他のタイプの車両、および／または他のタイプの用途で使用することができる。さらに、本明細書で使用される「ショックアブソーバ」という用語は、一般にダンパを指すことを意図され、したがって、マクファーソンストラットを含む。
【００１１】
ここで図２を参照すると、ショックアブソーバ２０がより詳細に示されている。図２は、ショックアブソーバ２０のみを示しているが、当然のことながら、ショックアブソーバ２６も、ショックアブソーバ２０に対して下記に説明するピストンアセンブリを含む。ショックアブソーバ２６は、車両１０のばね上およびばね下部分に連結されるように構成される態様のみがショックアブソーバ２０と異なる。ショックアブソーバ２０は、圧力チューブ３０、ピストンアセンブリ３２、およびピストンロッド３４を含む。
【００１２】
圧力チューブ３０は、流体チャンバ４２を画定する。ピストンアセンブリ３２は、圧力チューブ３０内にスライド可能に配置され、流体チャンバ４２を上側作動チャンバ４４と下側作動チャンバ４６とに分割している。シール４８は、ピストンアセンブリ３２と圧力チューブ３０との間に配置され、上側作動チャンバ４４を下側作動チャンバ４６から封止するだけでなく、ピストンアセンブリ３２が、過度の摩擦力を発生させることなく、圧力チューブ３０に対してスライド動作するのを可能にする。ピストンロッド３４は、ピストンアセンブリ３２に取り付けられ、上側作動チャンバ４４と、圧力チューブ３０の上端を閉じる上端キャップ５０とを貫通している。封止システム５２は、上端キャップ５０とピストンロッド３４との間の境界を封止する。ピストンアセンブリ３２とは反対側のピストンロッド３４の端部は、車両１０のばね上部分に固定されるように構成されている。好ましい実施形態では、ピストンロッド３４は、車両１０の車体１６またはばね上部分に固定される。圧力チューブ３０は流体で満たされ、車両のばね下部分に取り付けるための取付具５４を含む。好ましい実施形態では、取付具５４は、車両のばね下部分に固定される。車両の懸架動作は、ピストンアセンブリ３２の圧力チューブ３０に対する伸長または圧縮動作を引き起こす。ピストンアセンブリ３２内の弁は、圧力チューブ３０内でのピストンアセンブリ３２の動作中に、上側作動チャンバ４４と下側作動チャンバ４６との間の流体の移動を制御する。
【００１３】
ここで図３および図４を参照すると、ピストンアセンブリ３２はピストンロッド３４に取り付けられ、ピストン本体６０、圧縮弁アセンブリ６２、伸長またはリバウンド弁アセンブリ６４、および周波数依存性弁アセンブリ６６を含む。ピストンロッド３４は、ピストンアセンブリ３２の残りの構成要素を取り付けるためのショルダ部７０を形成するために、圧力チューブ３０内に配置されたピストンロッド３４の端部に位置する直径縮小部６８を含む。ピストン本体６０は、直径縮小部６８に配置され、圧縮弁アセンブリ６２は、ピストン本体６０とショルダ部７０との間に配置され、リバウンド弁アセンブリ６４は、ピストン本体６０とピストンロッド３４のねじ付き端部７２との間に配置されている。保持ナット７４は、ピストン本体６０、圧縮弁アセンブリ６２、および伸長またはリバウンド弁アセンブリ６４をピストンロッド３４に固定するために、ピストンロッド３４のねじ付き端部７２または直径縮小部６８に螺入可能に、またはスライド可能に受け止められている。ピストン本体６０は、複数の圧縮流路７６および複数のリバウンド流路７８を画定する。
【００１４】
圧縮弁アセンブリ６２は、圧縮弁プレート８０、弁ストッパ８２、およびばね８４を含む。弁プレート８０は、複数の圧縮流路７６を覆うために、ピストン本体６０に隣接して配置されている。弁ストッパ８２は、ショルダ部７０に隣接して配置され、ばね８４は、弁プレート８０をピストン本体６０に付勢するために、弁プレート８０と弁ストッパ８２との間に配置されている。ショックアブソーバ２０の圧縮ストローク時に、流体圧力は、圧縮流路７６を通って弁プレート８０に作用する流体圧力が、ばね８４による負荷を超えるまで、下側作動チャンバ４６内で増大する。弁プレート８０は、ピストン本体６０から離れる方向に移動し、ばね８４を圧縮して圧縮流路７６を開放し、図３に矢印８６で示すように、流体が下側作動チャンバ４６から上側作動チャンバ４４に流れるのを可能にする。
【００１５】
リバウンド弁アセンブリ６４は、１つまたは複数の弁プレート８８、ばね座９０、およびばね９２を含む。弁プレート８８は、複数のリバウンド流路７８を覆うために、ピストン本体６０に隣接して配置されている。ばね座９０は、弁プレート８８に直接隣接して配置されている。ばね９２は、ばね座９０と保持ナット７４との間に配置されて、ばね座９０を弁プレート８８に付勢し、弁プレート８８をピストン本体６０に付勢している。保持ナット７４は、ピストンロッド３４のねじ付き端部７２に螺入され、リバウンド流路７８を閉じるように、ばね９２およびばね座９０を使用して、弁プレート８８をピストン本体６０に押し当てて保持する。ショックアブソーバ２０の伸長ストローク時に、流体圧力は、リバウンド流路７８を通って弁プレート８８に作用する流体圧力が、ばね９２による負荷を超えるまで、上側作動チャンバ４４内で増大する。弁プレート８８は、ピストン本体６０から離れる方向に移動し、ばね９２を圧縮してリバウンド流路７８を開放し、図４に矢印９４で示すように、流体が上側作動チャンバ４４から下側作動チャンバ４６に流れるのを可能にする。
【００１６】
ここで図３および図４を参照すると、周波数依存性弁アセンブリ６６が示されている。周波数依存性弁アセンブリ６６は、ハウジングアセンブリ１１０およびスプール弁アセンブリ１１２を含む。ハウジングアセンブリ１１０は、上側ハウジング１１４および下側ハウジング１１６を含む。上側ハウジング１１４は、螺入式か、またはそれ以外の方法で、ピストンロッド３４の端部に取り付けられている。下側ハウジング１１６は、螺入式か、またはそれ以外の方法で、上側ハウジング１１４に取り付けられている。
【００１７】
スプール弁アセンブリ１１２は、スプール弁１２０、第１の逆止弁１２２、第２の逆止弁１２４、第１の接続アセンブリ１２６、および第２の接続アセンブリ１２８を含む。スプール弁１２０は、ハウジングアセンブリ１１０によって画定される空洞１３０内に配置されている。第１の逆止弁１２２は、弁座１３２および弁プレート１３４を含む。第２の逆止弁１２４は、弁座１３６および弁プレート１３８を含む。第１の接続アセンブリ１２６は、弁座１４０、複数のディスク１４２、ロックナット１４４、ばね１４６、およびばね座１４８を含む。第２の接続アセンブリ１２８は、弁座１５０、複数のディスク１５２、ロックナット１５４、ばね１５６、およびばね座１５８を含む。弁座１４０および複数のディスク１４２は、第１のバイパスチャンバを画定する第１のバイパス弁アセンブリを形成している。弁座１５０および複数のディスク１５２は、第２のバイパスチャンバを画定する第２のバイパス弁アセンブリを形成している。
【００１８】
弁座１３２は、スプール弁１２０の一方の端部に配置され、弁座１３６は、スプール弁１２０の反対側の端部に配置されている。スプール弁１２０は、弁座１３２および弁座１３６の両方内にスライド可能に配置されている。スペーサ１６０は、弁座１３２と弁座１３６との間に延びている。
【００１９】
弁座１４０は、弁座１３２に押し当てて配置されている。複数のディスク１４２は、弁座１４０に押し当てて配置されている。ロックナット１４４は、複数のディスク１４２を弁座１４０に固定するために、螺入式か、またはそれ以外の方法で、弁座１４０に取り付けられている。ばね座１４８は、複数のディスク１４２に押し当てて配置され、ばね１４６は、ハウジングアセンブリ１１０とばね座１４８との間に配置されている。ばね１４６は、ばね座１４８を複数のディスク１４２に付勢し、複数のディスク１４２を弁座１４０に付勢している。
【００２０】
弁座１５０は、弁座１３６に押し当てて配置されている。複数のディスク１５２は、弁座１５０に押し当てて配置されている。ロックナット１５４は、複数のディスク１５２を弁座１５０に固定するために、螺入式か、またはそれ以外の方法で、弁座１５０に取り付けられている。ばね座１５８は、複数のディスク１５２に押し当てて配置され、ばね１５６は、ハウジングアセンブリ１１０とばね座１５８との間に配置されている。ばね１５６は、ばね座１５８を複数のディスク１５２に付勢し、複数のディスク１５２を弁座１５０に付勢している。
【００２１】
図３は、ショックアブソーバ２０の圧縮ストローク時の流体流れを示している。圧縮ストローク時に、圧縮流路７６の流体圧力は上昇する。圧縮流路７６の流体圧力は、弁プレート８０に作用する付勢負荷が、ばね８４が圧縮される段階まで大きくなり、弁プレート８０が持ち上げられてピストン本体６０から完全に離れ、矢印８６で示すように、圧縮流路７６を十分に開通させるまで上昇する。圧縮弁アセンブリ６２は、安定した制振特性を有する受動弁アセンブリである。
【００２２】
圧縮弁アセンブリ６２が開く前の圧縮ストロークの開始時に、流体は、ピストン本体６０、圧縮弁アセンブリ６２、およびリバウンド弁アセンブリ６４を迂回する、矢印２００で示す開放バイパス流体流路を流れる。流路２００は、下側作動チャンバ４６からスプール弁１２０内の軸方向路１６２を通って、弁座１４０および複数のディスク１４２によって画定されるバイパスチャンバ１６４に延びている。流路２００は、複数のディスク１４２の周囲を回って、共にピストンロッド３４を通る軸方向流体路１６６および半径方向流体路１６８に入る。高周波動作中に、スプール弁１２０は短い距離だけ移動する。スプール弁１２０のこの移動は、スプール弁１２０の環状フランジの下の空洞１３０を加圧する、第２の逆止弁１２４を通る流体流れによって引き起こされる。スプール弁１２０には、上方に十分遠くまで移動する時間がない。移動がこのように短いために、ばね１４６によって生じる予圧は小さく、流体圧力により、複数のディスク１４２は容易に撓んで、矢印２００で示す流体流れを引き起こし、この矢印２００は、共にピストンロッド３４を通って上側作動チャンバ４４に延びる軸方向流体路１６６および半径方向路１６８を流れる流体流れを示している。低周波動作中に、スプール弁１２０は、第２の逆止弁１２４を通る流体の流れのために、かなりの距離を移動することができる。このより大きい移動により、弁座１４０、複数のディスク１４２、およびばね座１４８が移動する。この移動により、ばね１４６が圧縮されて、ばね１４６によって生じる予圧と、複数のディスク１４２を弁座１４０から離すのに必要とされる流体圧力とが高くなる。ばね１４６によって生じる負荷が大きくなるので、矢印２００で示す流れは減少して、最初の穏やかな制振状態から安定した制振状態への滑らかな移行をショックアブソーバ２０にもたらす。スプール弁１２０の移動によって、流体流れ２００がゆっくりと終わることで、移行が滑らかになる。矢印２０２は、スプール弁１２０の移動によって引き起こされる流体の流れを示している。流体は、スプール弁１２０の環状フランジより上の空洞１３０から調整オリフィス１８０を通って、軸方向流体路１６６に流れ込み、軸方向流体路１６６は、上側作動チャンバ４４に通じる半径方向路１６８につながっている。第１の逆止弁１２２は、このより大きな移動中に閉じたままであり、スプール弁１２０の環状フランジより上の空洞１３０に流体が戻るのを可能にするために開く。
【００２３】
図４は、ショックアブソーバ２０のリバウンドストローク時の流体流れを示している。リバウンドストローク時、リバウンド流路７８の流体圧力は高くなる。リバウンド流路７８の流体圧力は、弁プレート８８に作用する付勢負荷が、ばね９２が圧縮される段階まで大きくなり、弁プレート８８が持ち上げられてピストン本体６０から完全に離れ、矢印９４で示すように、リバウンド流路７８を十分に開通させるまで上昇する。リバウンド弁アセンブリ６４は、安定した制振特性を有する受動弁アセンブリである。
【００２４】
リバウンド弁アセンブリ６４が開く前のリバウンドストロークの開始時に、流体は、ピストン本体６０、圧縮弁アセンブリ６２、およびリバウンド弁アセンブリ６４を迂回する、矢印３００で示す開放バイパス流体流路を流れる。流路２００は、上側作動チャンバ４４から半径方向流体路１６８、軸方向流体路１６６を通り、スプール弁１２０内の軸方向路１６２を通って、弁座１５０および複数のディスク１５２によって画定されるバイパスチャンバ１８４に延びている。流路３００は、複数のディスク１５２の周囲を回って、下側ハウジング１１６に形成された開孔を通って下側作動チャンバ４６に入る。高周波動作中に、スプール弁１２０は短い距離だけ移動する。スプール弁１２０のこの移動は、スプール弁１２０の環状フランジの下の空洞１３０を加圧する、第１の逆止弁１２２を通る流体流れによって引き起こされる。スプール弁１２０には、下方に十分遠くまで移動する時間がない。移動がこのように短いために、ばね１５６によって生じる予圧は小さく、流体圧力により、複数のディスク１５２は容易に撓んで、矢印３００で示す流体流れを引き起こし、この矢印３００は、共に上側作動チャンバ４４からピストンロッド３４を通って延びる軸方向流体路１６６および半径方向路１６８を流れる流体流れを示している。低周波動作中に、スプール弁１２０は、第１の逆止弁１２２を通る流体の流れのために、かなりの距離を移動することができる。このより大きい移動により、弁座１５０、複数のディスク１５２、およびばね座１５８が移動する。この移動により、ばね１５６が圧縮されて、ばね１５６によって生じる予圧と、複数のディスク１５２を弁座１５０から離すのに必要とされる流体圧力とが高くなる。ばね１５６によって生じる負荷が大きくなるので、矢印３００で示す流れは減少して、最初の穏やかな制振状態から安定した制振状態への滑らかな移行をショックアブソーバ２０にもたらす。スプール弁１２０の移動により、流体流れ３００がゆっくりと終わることで、移行が滑らかになる。矢印３０２は、スプール弁１２０の移動によって引き起こされる流体の流れを示している。流体は、スプール弁１２０の環状フランジより下の空洞１３０から調整オリフィス１７０を通り、下側作動チャンバ４６に流れ込む。第２の逆止弁１２４は、このより大きな移動中に閉じたままであり、スプール弁１２０の環状フランジより下の空洞１３０に流体が戻るのを可能にするために開く。
【００２５】
ここで図５〜８を参照すると、周波数依存性弁アセンブリ２６６が示されている。周波数依存性弁アセンブリ２６６は、ハウジングアセンブリ３１０およびスプール弁アセンブリ３１２を含む。ハウジングアセンブリ３１０は、上側ハウジング３１４および下側ハウジング３１６を含む。上側ハウジング３１４は、螺入式にピストンロッド３４の端部に受け止められるか、またはそれ以外の方法で、ピストンロッド３４の端部に取り付けられている。下側ハウジング３１６は上側ハウジング３１４に圧入されるか、螺入式に、またはそれ以外の方法で、上側ハウジング３１４に取り付けられている。
【００２６】
スプール弁アセンブリ３１２は、第１のディスク弁アセンブリ３２０、第１の逆止弁３２２、第１のスプール弁アセンブリ３２４、第２のスプール弁アセンブリ３２６、第２の逆止弁３２８、および第２のディスク弁アセンブリ３３０を含む。
【００２７】
第１のディスク弁アセンブリ３２０は、ハウジング３４０、ピン３４２、複数の弁ディスク３４４、弁本体３４６、および接続部３４８を含む。ハウジング３４０は、下側ハウジング３１６に圧入されるか、またはそれ以外の方法で下側ハウジング３１６に受け入れられている。ピン３４２は、ハウジング３４０に圧入されるか、またはそれ以外の方法でハウジング３４０に取り付けられている。複数の弁ディスク３４４は、ハウジング３４０と弁本体３４６との間に配置されている。弁本体３４６は、ピン３４２にスライド可能に受け止められている。接続部３４８は、弁本体３４６と第１のスプール弁アセンブリ３２４との間に配置されている。
【００２８】
第１の逆止弁３２２は、弁本体３４６を貫通する複数の開孔３５０を通る流体流れを制御する。第１の逆止弁３２２は、第１のディスク弁アセンブリ３２０から第１のスプール弁アセンブリ３２４への流体流れを可能にするが、第１のスプール弁アセンブリ３２４から第１のディスク弁アセンブリ３２０への流体流れを阻止する。
【００２９】
第１のスプール弁アセンブリ３２４は、弁座３６０、少なくとも１つの弁プレート３６２、およびスプール弁３６４を含む。弁座３６０は、下側ハウジング３１６に圧入されるか、またはそれ以外の方法で下側ハウジング３１６に取り付けられている。少なくとも１つの弁プレート３６２は、弁座３６０を貫通する複数の開孔３６６を閉じる。少なくとも１つの弁プレート３６２は、ピストンロッド３４の軸方向流体路１６６から、弁座３６０とスプール弁３６４との間に画定されるチャンバ３６８への流体流れを可能にするが、チャンバ３６８から軸方向流体路１６６への流体流れのすべてではないが一部を阻止する。オリフィス３７０は、チャンバ３６８から軸方向流体路１６６への限定された流れを可能にする。スプール弁３６４は、下側ハウジング３１６内にスライド可能に受け入れられている。シール３７２は、スプール弁３６４と下側ハウジング３１６との間の境界を封止する。スプール弁３６４はまた、弁座３６０内にスライド可能に受け入れられている。スペーサ３７４は、スプール弁３６４用のストッパとして機能する。スペーサ３７４は、スプール弁３６４と下側ハウジング３１６によって形成された環状拡張部３７６との間に配置されている。
【００３０】
第２のディスク弁アセンブリ３３０は、ハウジング４４０、ピン４４２、複数の弁ディスク４４４、弁本体４４６、および接続部４４８を含む。ハウジング４４０は、下側ハウジング３１６に圧入されるか、またはそれ以外の方法で下側ハウジング３１６に受け入れられている。複数の開孔４５０は、下側作動チャンバ４６に通じている。ピン４４２は、ハウジング４４０に圧入されるか、またはそれ以外の方法でハウジング４４０に取り付けられている。複数の弁ディスク４４４は、ハウジング４４０と弁本体４４６との間に配置されている。弁本体４４６は、ピン４４２にスライド可能に受け止められている。接続部４４８は、弁本体４４６と第２のスプール弁アセンブリ３２６との間に配置されている。
【００３１】
第２の逆止弁３２８は、弁本体４４６を貫通する複数の開孔４５２を通る流体流れを制御する。第２の逆止弁３２８は、第２のディスク弁アセンブリ３３０から第２のスプール弁アセンブリ３２６への流体流れを可能にするが、第２のスプール弁アセンブリ３２６から第２のディスク弁アセンブリ３３０への流体流れを阻止する。
【００３２】
第２のスプール弁アセンブリ３２６は、弁座３８０、少なくとも１つの弁プレート３８２、およびスプール弁３８４を含む。弁座３８０は、下側ハウジング３１６に圧入されるか、またはそれ以外の方法で下側ハウジング３１６に取り付けられている。少なくとも１つの弁プレート３８２は、弁座３８０を貫通する複数の開孔３８６を閉じる。少なくとも１つの弁プレート３８２は、下側作動チャンバ４６から、弁座３８０とスプール弁３８４との間に画定されるチャンバ３８８への流体流れを可能にするが、チャンバ３８８から下側作動チャンバ４６への流体流れのすべてではないが一部を阻止する。オリフィス３９０は、チャンバ３８８から下側作動チャンバ４６への限定された流れを可能にする。スプール弁３８４は、下側ハウジング３１６内にスライド可能に受け入れられている。シール３９２は、スプール弁３８４と下側ハウジング３１６との間の境界を封止する。スプール弁３８４はまた、弁座３８０内にスライド可能に受け入れられている。スペーサ３９４は、スプール弁３８４用のストッパとして機能する。スペーサ３９４は、スプール弁３８４と下側ハウジング３１６によって形成された環状拡張部３７６との間に配置されている。
【００３３】
ここで図５を参照すると、低周波圧縮ストローク時の流体流れが示されている。低周波数での圧縮ストローク時に、流体は、ハウジング４４０の開孔４５０を通って、周波数依存性弁アセンブリ２６６に流入する。流体は、オリフィス４９０を通って、複数の弁ディスク４４４と弁本体４４６との間を流れ、第２の逆止弁３２８を開く。スプール弁３６４は、接続部３４８、および複数の弁ディスク３４４に押し当たった弁本体３４６とともにゆっくりと上方に移動する。この場合に、流体は、オリフィス３７０を通ってチャンバ３６８に漏出することしかできないので、チャンバ３６８は加圧される。スプール弁３６４の上方移動により、弁本体３４６を接続部３４８に押し付けて閉じた状態に保つ複数の弁ディスク３４４に作用する予圧が高くなって、流体流れが、弁本体３４６と接続部３４８との間を流れることによって、第１のディスク弁アセンブリ３２０を迂回するのを阻止する。
【００３４】
ここで図６を参照すると、高周波圧縮ストローク時の流体流れが示されている。高周波圧縮ストローク時に、流体は、ハウジング４４０の開孔４５０を通って、周波数依存性弁アセンブリ２６６に流入する。流体は、オリフィス４９０を通って、複数の弁ディスク４４４と弁本体４４６との間を流れ、第２の逆止弁３２８を開く。圧縮ストロークが高周波数であるので、スプール弁３６４は、接続部３４８を押し、弁本体３４６を複数の弁ディスク３４４に押し付けて予圧をかけるために、上方に十分遠くまで移動する時間がない。流体圧力は、弁本体３４６の下のチャンバ４９２内で急速に高くなる。チャンバ４９２内の吹出し圧力は、最終的に、弁本体３４６を持ち上げて接続部３４８から遠ざけるほど十分に高くなり、チャンバ４９２内の流体は、ピストンアセンブリ３２を通るバイパス流れを形成するように、軸方向流体路１６６を通って上側作動チャンバ４４に流れ込む。したがって、高周波圧縮ストローク時に、流体は、ピストンアセンブリ３２を迂回して、制振を穏やかにし、一方、低周波圧縮ストローク時には、バイパスは閉じて、制振をより安定させる。
【００３５】
ここで図７を参照すると、低周波リバウンドストローク時の流体流れが示されている。低周波数でのリバウンドストローク時に、流体は、ピストンロッド３４内の軸方向流体路１６６を通って、周波数依存性弁アセンブリ２６６に流入する。流体は、オリフィス４９４を通って、複数の弁ディスク３４４と弁本体３４６との間を流れ、第１の逆止弁３２２を開く。スプール弁３８４は、接続部４４８、および複数の弁ディスク４４４に押し当たった弁本体４４６とともにゆっくりと下方に移動する。この場合に、流体は、オリフィス３９０を通ってチャンバ３８８に漏出することしかできないので、チャンバ３８８は加圧される。スプール弁３８４の下方移動により、弁本体４４６を接続部４４８に押し付けて閉じた状態に保つ複数の弁ディスク４４４に作用する予圧が高くなって、流体流れが、弁本体４４６と接続部４４８との間を流れることによって、第２のディスク弁アセンブリ３３０を迂回するのを阻止する。
【００３６】
ここで図８を参照すると、高周波リバウンドストローク時の流体流れが示されている。高周波圧縮ストローク時に、流体は、ピストンロッド３４内の軸方向流体路１６６を通って、周波数依存性弁アセンブリ２６６に流入する。流体は、オリフィス４９４を通って、複数の弁ディスク３４４と弁本体３４６との間を流れ、第１の逆止弁３２２を開く。リバウンドストロークが高周波数であるので、スプール弁３８４は、接続部４４８を押し、弁本体４４６を複数の弁ディスク４４４に押し付けて予圧をかけるために、下方に十分遠くまで移動する時間がない。流体圧力は、弁本体４４６の上のチャンバ４９６内で急速に高くなる。チャンバ４９６内の吹出し圧力は、最終的に、弁本体４４６を持ち上げて接続部４４８から遠ざけるほど十分に高くなり、チャンバ４９６内の流体は、ピストンアセンブリ３２を通るバイパス流れを形成するように、複数の開孔４５０を通って下側作動チャンバ４６に流れ込む。したがって、高周波リバウンドストローク時に、流体は、ピストンアセンブリ３２を迂回して、制振を穏やかにし、一方、低周波リバウンドストローク時には、バイパスは閉じて、制振をより安定させる。
【００３７】
本発明の説明は、本来単なる例示であり、したがって、本発明の趣旨から逸脱しない変形版は、本発明の範囲内であることを意図されている。そのような変形版は、本発明の趣旨および範囲から逸脱するとみなすべきではない。
【図１】
0006539284.tif 000002
【図２】
0006539284.tif 000003
【図３】
0006539284.tif 000004
【図４】
0006539284.tif 000005
【図５】
0006539284.tif 000006
【図６】
0006539284.tif 000007
【図７】
0006539284.tif 000008
【図８】
0006539284.tif 000009